(57)【要約】      （修正有）【課題】より簡単な構成を有し、撮像素子への露光状態と非露光状態との切り換えの応答性が早く、コンパクト化も可能な撮像装置を提供する。【解決手段】撮像装置である一眼レフカメラ１０は、撮像素子４と、被写体光束を上記撮像素子の受光面４ａに入射させ、被写体像を生成させる撮影レンズ１と、スクリーン５，ペンタプリズム６、接眼レンズ７からなるファインダ光学系と、ＡＦセンサ部１３と、回転軸８ａを中心として回転し、回転方向に沿って、上記被写体光束を透過させる開口部２ａ、および、上記被写体光束を上記ファインダ光学系に入射させる反射面２ｂを有するメイン回転板２と、上記受光面に上記被写体光束を透過させる退避位置、および、上記被写体光束を反射して上記ＡＦセンサ部に入射させる位置に設定可能なサブ回転板３と、上記メイン回転板、および、上記サブ回転板の動作を制御する制御部１１とを有する。【選択図】図１
2009020363.tif 000002
【特許請求の範囲】
【請求項１】
撮像素子と、
被写体光束を上記撮像素子の受光面に入射させ、被写体像を生成させる撮影光学系と、
ファインダに上記被写体光束を導くファインダ光学系と、
上記被写体光束の光学特性を検出する検出器と、
上記光束の光軸と交差する平面に交差する軸を中心として回転し、回転方向に沿って、上記受光面に結像可能に上記被写体光束を透過させる第一の領域、および、上記被写体光束を上記ファインダ光学系に反射して入射させる第二の領域を有する第一の板状反射体と、
上記受光面に結像可能に上記被写体光束を透過させる第一の位置、および、上記被写体光束を反射して上記検出器に入射させる第二の位置を択一的に設定可能な第二の板状反射体と、
上記第一、および、上記第二の板状反射体の動作を制御する制御部と、
を有することを特徴とする撮像装置。
【請求項２】
上記制御部は、上記第一の領域と上記第一の位置が対向するように上記第一、および、上記第二の板状反射体の動作の同期を取る制御を行うことを特徴とする請求項１に記載の撮像装置。
【請求項３】
上記制御部は、上記第一の領域と上記第二の位置が対向するように上記第一、および、上記第二の板状反射体の動作の同期を取る制御を行うことを特徴とする請求項１に記載の撮像装置。
【請求項４】
上記第一の板状反射体は、少なくとも上記第二の領域が上記光束の光軸上に位置するように制御されることを特徴とする請求項１に記載の撮像装置。
【請求項５】
上記第二の板状反射体は、回転動作を行うことにより上記第一の位置、および、第二の位置に移動することを特徴とする請求項１に記載の撮像装置。
【請求項６】
上記第二の板状反射体は、揺動動作を行うことにより上記第一の位置、および、第二の位置に移動することを特徴とする請求項１に記載の撮像装置。
【請求項７】
上記第二の板状反射体は、スライド動作を行うことにより上記第一の位置、および、第二の位置に移動することを特徴とする請求項１に記載の撮像装置。
【請求項８】
上記制御部は、レリーズボタンが第一のトリガ位置に移動したとき、上記第一、および、上記第二の板状反射体の動作を開始させることを特徴とする請求項１に記載の撮像装置。
【請求項９】
上記制御部は、ライブビュー表示用の上記被写体像を上記撮像素子から取り込ませると共に、所定のタイミングで上記検出器に上記被写体光束が入射するように上記第一、および、上記第二の板状反射体を同期させて動作させることを特徴とする請求項８に記載の撮像装置。
【請求項１０】
上記制御部は、連写動作時に連写速度の定数倍の回転数にて上記第一の板状反射体を回転させると共に、上記第一の板状反射体の回転に同期させて上記第二の板状反射体の動作を制御することを特徴とする請求項８記載の撮像装置。
【請求項１１】
上記制御部は、ライブビュー表示用の上記被写体像を上記撮像素子から取り込ませるとき、上記撮像素子の全画素数よりも少ない画素数を取り込ませることを特徴とする請求項８記載の撮像装置。
【請求項１２】
撮像素子と、
上記撮像素子の受光面に入射させる被写体光束による被写体像を生成する撮像光学系と、
上記被写体光束の光学特性を検出する検出器と、
板状であって、その略中心で交差する第一の軸を中心として回転し、回転方向に沿って、上記受光面に結像可能に上記被写体光束を透過させる第一の領域、および、上記受光面に対して上記被写体光束を遮光する第二の領域とを有する第一の板状反射体と、
上記受光面に結像可能に上記被写体光束を透過させる第一の位置、および、上記被写体光束を反射して上記検出器に入射させる第二の位置を択一的に設定可能な第二の板状反射体と、
上記第一、および、上記第二の板状反射体の動作を制御する制御部と、
を有することを特徴とする撮像装置。
【発明の詳細な説明】
【技術分野】
【０００１】
本発明は、撮像素子を用いて被写体像を撮像する撮像装置の構造に関する。
【背景技術】
【０００２】
従来、撮像素子を用いた撮像装置である通常の一眼レフカメラの構成として、例えば、特許文献１などに開示されたものには、図１６の縦断面図（概要）に示すように撮影レンズ光軸（Ｏ）上に沿って着脱可能な撮影レンズ１０１と、サブミラー１０２ａを備えたハーフミラーからなる可動ミラー１０２と、シャッタ１０３と、撮像素子１０４とが配され、さらに、光軸の上側方にスクリーン１０５とペンタプリズム１０６および接眼レンズ１０７とが配されており、また、光軸の下側方にＡＦセンサ部１０８とが配されている。
【０００３】
可動ミラー１０２は、光軸と直交する平面に沿って左右に延びるミラー軸１０２ｂに開閉回動可能な状態でバネにより付勢された状態で支持されており、電源オン時、ファインダ観察時、ＡＦ時に撮影光路中に傾斜した光路進入位置（撮像素子非露光状態の位置）に回動駆動され、露光時に上記撮影光路から退避した退避位置（撮像素子露光状態の位置）に回動駆動される。
【特許文献１】特開昭６１−４６９４１号公報
【発明の開示】
【発明が解決しようとする課題】
【０００４】
しかし、上記従来の一眼レフカメラにおいては、上記可動ミラー１０２の回動駆動速度自体に限界があり、高速連写撮影における連写速度が制限される。近年では１０コマ／秒以上の連写が可能な高速処理が可能な撮像素子も開発されており、そのような撮像素子に対して上記従来の可動ミラー駆動機構では対応が難しいと思われる。
【０００５】
また、退避位置から光路進入位置に回動した際の応答動作が遅れる。詳しくは、可動ミラーが急激に停止することからバウンドが生じ、素早くファインダ観察状態に移行したり、ＡＦ処理を開始することが難しい。
【０００６】
さらに、可動ミラー１０２が前述のように回動移動する必要があるので、可動ミラー１０２のための配設占有スペ−スが大きくカメラの小型化にも支障が生じる。
【０００７】
本発明は、上述の問題を解決するためになされたものであり、撮像素子を用いた撮像装置において、より簡単な構成を有し、撮像素子への露光状態と非露光状態との切り換えの応答性が早く、コンパクト化も可能な撮像装置を提供することを目的とする。
【課題を解決するための手段】
【０００８】
本発明の請求項１記載の撮像装置は、撮像素子と、被写体光束を上記撮像素子の受光面に入射させ、被写体像を生成させる撮影光学系と、ファインダに上記被写体光束を導くファインダ光学系と、上記被写体光束の光学特性を検出する検出器と、上記光束の光軸と交差する平面に交差する第一の軸を中心として回転し、回転方向に沿って、上記受光面に結像可能に上記被写体光束を透過させる第一の領域、および、上記被写体光束を上記ファインダ光学系に反射して入射させる第二の領域を有する第一の板状反射体と、上記受光面に結像可能に上記被写体光束を透過させる第一の位置、および、上記被写体光束を反射して上記検出器に入射させる第二の位置を択一的に設定可能な第二の板状反射体と、上記第一、および、上記第二の板状反射体の動作を制御する制御部とを有する。
【０００９】
本発明の請求項２記載の撮像装置は、請求項１に記載の撮像装置において、上記制御部は、上記第一の領域と上記第一の位置が対向するように上記第一、および、上記第二の板状反射体の動作の同期を取るように制御する。
【００１０】
本発明の請求項３記載の撮像装置は、請求項１に記載の撮像装置において、上記制御部は、上記第一の領域と上記第二の位置が対向するように上記第一、および、上記第二の板状反射体の動作の同期を取るように制御する。
【００１１】
本発明の請求項４記載の撮像装置は、請求項１に記載の撮像装置において、上記第一の板状反射体は、少なくとも上記第二の領域が上記光束の光軸上に位置するように制御される。
【００１２】
本発明の請求項５記載の撮像装置は、請求項１に記載の撮像装置において、上記第二の板状反射体は、回転動作を行うことにより上記第一の位置、および、第二の位置に移動する。
【００１３】
本発明の請求項６記載の撮像装置は、請求項１に記載の撮像装置において、上記第二の板状反射体は、揺動動作を行うことにより上記第一の位置、および、第二の位置に移動する。
【００１４】
本発明の請求項７記載の撮像装置は、請求項１に記載の撮像装置において、上記第二の板状反射体は、スライド動作を行うことにより上記第一の位置、および、第二の位置に移動する。
【００１５】
本発明の請求項８記載の撮像装置は、請求項１に記載の撮像装置において、上記制御部は、レリーズボタンが第一のトリガ位置に移動したとき、上記第一、および、上記第二の板状反射体の動作を開始させる。
【００１６】
本発明の請求項９記載の撮像装置は、請求項８に記載の撮像装置において、上記制御部は、ライブビュー表示用の上記被写体像を上記撮像素子から取り込ませると共に、所定のタイミングで上記検出器に上記被写体光束が入射するように上記第一、および、上記第二の板状反射体を同期させて動作させる。
【００１７】
本発明の請求項１０記載の撮像装置は、請求項８に記載の撮像装置において、上記制御部は、連写動作時に連写速度の定数倍の回転数にて上記第一の板状反射体を回転させると共に、上記第一の板状反射体の回転に同期させて上記第二の板状反射体の動作を制御する。
【００１８】
本発明の請求項１１記載の撮像装置は、請求項８に記載の撮像装置において、上記制御部は、ライブビュー表示用の上記被写体像を上記撮像素子から取り込ませるとき、上記撮像素子の全画素数よりも少ない画素数を取り込ませる。
【００１９】
本発明の請求項１２記載の撮像装置は、撮像素子と、上記撮像素子の受光面に入射させる被写体光束による被写体像を生成する撮像光学系と、上記被写体光束の光学特性を検出する検出器と、板状であって、その略中心で交差する第一の軸を中心として回転し、回転方向に沿って、上記受光面に結像可能に上記被写体光束を透過させる第一の領域、および、上記受光面に対して上記被写体光束を遮光する第二の領域とを有する第一の板状反射体と、上記受光面に結像可能に上記被写体光束を透過させる第一の位置、および、上記被写体光束を反射して上記検出器に入射させる第二の位置を択一的に設定可能な第二の板状反射体と、上記第一、および、上記第二の板状反射体の動作を制御する制御部とを有する。
【発明の効果】
【００２０】
本発明によれば、撮像素子を用いた撮像装置において、より簡単な構成を有し、撮像素子への露光状態と非露光状態との切り換えの応答性が早く、例えば、高速連写が可能であって、コンパクト化も可能な撮像装置を提供することができる。
【発明を実施するための最良の形態】
【００２１】
以下、図を用いて本発明の実施形態について説明する。
【００２２】
図１〜３は、本発明の第一の実施形態の撮像装置である一眼レフカメラの主要構成を示す光軸に沿った断面図であって、図１は、光学ファインダ観察状態を示し、図２は、ＡＦ測距（オートフォーカスのための合焦状態検出）状態を示し、図３は、露光状態を示す。図４〜６は、上記一眼レフカメラに適用されるメイン回転板とサブ回転板の上記各作動状態における正面図である。
【００２３】
本実施形態の一眼レフカメラ１０は、図１〜３に示すようにカメラボディ（図示せず）に着脱可能な撮影レンズ１と、上記カメラボディに内蔵される部材として撮影レンズ１の後方に被写体側から順に撮影光学系の光軸であるレンズ光軸（図中、Ｏで示される）に沿って配される第一の板状反射体としてのメイン回転板２と、第二の板状反射体としてのサブ回転板３と、撮像素子４とを具備し、さらに、レンズ光軸の上方に配され、後述するファインダ光学系と、レンズ光軸の下方側に配される検出器としてのＡＦセンサ部１３と、メイン回転板駆動用の駆動モータ８と、サブ回転板駆動用の駆動モータ９と、制御部１１と、カメラ操作スイッチの１つであり、撮影開始を指示するためのレリーズボタンにより操作されるレリーズスイッチ１２とを具備している。
【００２４】
撮影レンズ１は、被写体光束を取り込み、その被写体像を撮像素子４の受光面４ａ上に結像させる撮影光学系である。
【００２５】
上記ファインダ光学系は、レンズ光軸に上方位置に配されるスクリーン５と、スクリーン５上方に配されるペンタプリズム６と、ペンタプリズム６の後方に配される接眼レンズ７とからなる。
【００２６】
ＡＦセンサ部１３は、取り込まれた被写体光束の光学特性である被写体像の合焦状態を検出するための光学部およびＡＦ測距センサ部よりなる。
【００２７】
メイン回転板２は、レンズ光軸方向に交差する円形の主平面を有し、レンズ光軸の上方側（下方側でもよい）でレンズ光軸と交差する第一の軸である回転軸８ａにより回転可能に支持されており、ステッピングモータからなる駆動モータ８により回転軸８ａを介して回転駆動される。なお、駆動モータ８に替えて図１に示す駆動モータ８Ａを適用し、メイン回転板２の外周に駆動モータ８Ａの摩擦出力軸部を当接させて、メイン回転板２を回転駆動する構成を採用することも可能である。
【００２８】
メイン回転板２には回転板主平面の第一の領域に扇状の開口部２ａと、第二の領域の前面側に光学ファインダ用の反射面２ｂとが配されている（図４）。
【００２９】
開口部２ａの大きさは、被写体光束の光路上の回転板位置における撮像素子４の受光面４ａに対応する受光対応面である撮像素子受光面相当エリアＡｒを少なくとも内包する大きさ（即ち、撮像素子受光面相当エリアＡｒより大きい）とする（図６）。この開口部２ａは、撮像素子４に対するシャッタとしても機能する。
【００３０】
反射面２ｂは、レンズ光軸に対して傾斜しており、レンズ光軸上に位置している状態（図１，４）で被写体光束を上方に配されている上記ファインダ光学系のスクリーン５に向けて反射する。なお、反射面２ｂは、レンズ光軸に対して角度４５°よりも起立側に傾いており、メイン回転板２のレンズ光軸方向の占有エリアをより減らしている。スクリーン５のスクリーン面もそれに倣ってレンズ光軸に対して傾斜している。
【００３１】
サブ回転板３は、レンズ光軸方向に交差する半円形の反射面３ａを有し、レンズ光軸の下方側のレンズ光軸と交差する第二の軸である回転軸９ａにより回転可能に支持されており、ステッピングモータからなる駆動モータ９により回転軸９ａを介して回転駆動される。サブ回転板３の反射面３ａが第一の位置であるレンズ光軸上から退避した位置にある状態では（図３，６）、被写体光束は、後方の撮像素子４の受光面４ａに達する。また、サブ回転板３が回転して反射面３ａが第二の位置であるレンズ光軸上の位置にある状態では（図２，５）、被写体光束は、反射面３ａにより下方に配されているＡＦセンサ部１３に向けて反射される。
【００３２】
制御部１１は、レリーズスイッチ１２の一段目、および、二段目操作信号を取り込み、その操作信号に基づいて駆動モータ８，９を駆動制御してメイン回転板２およびサブ回転板３の回転を制御し、該回転板の回転に同期した状態で上記ファインダ光学系による光学ファインダ観察状態と、ＡＦセンサ部１３による測距状態と、開口部２ａを経て被写体光束を透過させ、撮像素子４を露光させる露光状態との切り替え制御を行う。上記露光状態にて撮像素子４より被写体光束による被写体像の撮像信号を取り込み、ライブビュー表示処理、および、撮像処理の制御を行う。
【００３３】
上述の構成を有する本実施形態の一眼レフカメラ１０により被写体像の単写撮影を行う場合、制御部１１の制御のもとで各動作の制御がなされる。まず、電源オン時にメイン回転板２を回転させ、図１，４に示すようにメイン回転板２の反射面２ｂをレンズ光軸上に位置させる。この状態では撮影レンズ１を通して入射する被写体光束が反射面２ｂでスクリーン５側に反射され、ペンタプリズム６と接眼レンズ７を介して光学ファインダによる観察が可能である。さらに、カメラ側でライブビューモードが選択された場合、メイン回転板２が所定の回転速度で回転し、同時にサブ回転板３を回転させ、反射面３ａをレンズ光軸上から退避させる。この状態では上記被写体光束が間欠的に撮像素子４の受光面に入射し、被写体像が結像する。制御部１１は、撮像素子４の撮像信号を画素数を間引いた状態で取り込み（ライブビューモード）、その撮像信号による被写体画像をライブビュー表示画像としてモニタ表示部（図示せず）に表示させる。同時に上記光学ファインダによる被写体像の観察（若干暗い間欠表示）も可能である。
【００３４】
レリーズボタンが第一のトリガ位置に移動したときのレリーズスイッチ１２の一段目操作信号に基づいてメイン回転板２およびサブ回転板３が同期した状態で、ライブビューに最適な速度、例えば、３０回転／秒の速度で駆動され、図４，５，６の状態に切り替えられる。上記被写体光束は、光学ファインダ側、ＡＦセンサ部１３側、撮像素子４側に時分割状態で入射する。これにより光学ファインダによる若干暗い間欠表示のファインダ観察と、ＡＦ測距と、ライブビュー表示（ライブビューモード設定時）とが行われる。上記ＡＦセンサ部１３により検出された測距信号に基づいて撮影レンズ１のピント合わせが行われる。また、撮像素子４は、ライブビューモードで駆動されており、画素間引き読み出しや画素加算による読み出しが行われる。そして、例えば、３０コマ／秒の速度で読み出されてライブビュー表示される。
【００３５】
続いて、レリーズボタンが第二のトリガ位置に移動したときのレリーズスイッチ１２の二段目操作信号に基づいて、サブ回転板３の反射面３ａをレンズ光軸上から退避させた状態とし、メイン回転板２の開口部２ａをレンズ光軸上に位置させ（図６）、撮像素子４の露光を開始し、露光終了後、メイン回転板２を回転させ、開口部２ａをレンズ光軸上から退避させ、反射面２ｂをレンズ光軸上に位置させる。撮像素子４による撮像信号は、全画素読み出しを行い、該撮像信号は、画像処理後、メディア等に記録される。
【００３６】
一眼レフカメラ１０にて連写撮影を行う場合も制御部１１の制御のもとで各動作の制御が実行される。まず、レリーズスイッチ１２の一段目操作が行われると、上述した単写時と同様にメイン回転板２およびサブ回転板３が同期した状態で連写速度に応じた速度で回転駆動される。上記被写体光束は、光学ファインダ側、ＡＦセンサ部１３側、撮像素子４側に時分割状態で入射する。光学ファインダによる観察、ＡＦ測距動作および撮影レンズ１の合焦動作、ライブビュー表示（ライブビューモード設定時）がなされる。該ライブビュー表示において、撮像素子４は、ライブビューモードによる画素の間引き読み出しがなされるが、例えば、１５コマ／秒の連写速度の場合、フレーム補間により３０コマ／秒の増やした速度でライブビュー表示がなされる。また、メイン回転板２およびサブ回転板３の回転速度は、連写速度の定倍数の速度であって、表示画像のちらつきを抑えたライブビュー表示に適した回転速度を設定することもできる。
【００３７】
連写速度がＲコマ／秒の場合、メイン回転板２およびサブ回転板３の回転速度は、特に連写速度が遅い場合にはライブビューのちらつき防止のため、Ｒ×Ｎ回転／秒の速度が選択される（Ｎは、１，２，３…とする）。例えば、連写速度が１５コマ／秒の場合は、１５回転／秒、３０回転／秒、６０回転／秒…の回転速度に設定される。また、連写速度の定倍数で駆動している場合、撮像素子４の読み出し速度に余裕があるときには、全画素読み出しの間の露光をライブビュー表示のファインダモードで駆動してライブビュー表示をなめらかにすることも可能である。
【００３８】
続いて、レリーズスイッチ１２の二段目操作がなされると、メイン回転板２が連写速度（コマ／秒）に応じて回転駆動され、撮像素子４は全画素読み出しモードで駆動され、連写のための露光制御が実行され、画像処理された画像信号は、順次メディア等に記録される。メイン回転板２の回転中、ちらつきのある状態で光学ファインダ観察が可能である。また、ライブビューモード設定時にはライブビュー表示が可能である。さらに、サブ回転板３を同期させて回転駆動することにより連写撮影中、動体である被写体に追従させて撮影レンズ１のピント合わせを行うことができる。
【００３９】
レリーズスイッチ１２を解放したとき、撮影動作を中止し、メイン回転板２を反射面２ｂがレンズ光軸上に位置する状態にて停止させ、連写撮影を終了する。
【００４０】
上述した本実施形態の一眼レフカメラ１０によれば、図１６に示される従来の一眼レフカメラ１００にて適用された揺動式可動ミラー１０２に替えて反射面を有するメイン回転板２およびサブ回転板３を採用していることから、被写体光束の光路中の狭いスペースに上記各回転板を収容することができる。また、上記各回転板は、回転駆動され、その傾斜角度は変化しないので、停止したときの反射面のバウンドの影響がなく、素早く光学ファインダ観察や測距を開始することができ、また、撮像素子２４の露光状態への切り換え応答性も早くすることができる。
【００４１】
また、連写撮影時においては、上述した従来の一眼レフカメラ１００のように可動ミラーを揺動駆動させる必要がなく、上記各回転板を回転駆動させることから、可動ミラーの揺動によるバウンド現象も生じず、高速、例えば、１０コマ／秒以上の連写が可能になる。
【００４２】
次に本発明の第二の実施形態の撮像装置である一眼レフカメラについて、図７〜１２を用いて説明する。 
図７〜９は、本実施形態の一眼レフカメラの主要構成を示す光軸に沿った断面図であって、図７は、光学ファインダ観察状態を示し、図８は、ＡＦ測距状態を示し、図９は、露光状態を示す。図１０〜１２は、上記一眼レフカメラに適用されるメイン回転板とサブ揺動板の上記各作動状態における正面図である。
【００４３】
本実施形態の一眼レフカメラ２０は、図７〜９に示すようにカメラボディ（図示せず）に着脱可能な撮影レンズ２１と、カメラボディに内蔵される部材として撮影レンズ２１の後方に被写体側から順に撮影光学系の光軸であるレンズ光軸（図中、Ｏで示される）に沿って配される第一の板状反射体としてのメイン回転板２２と、第二の板状反射体としてのサブ揺動板２３と、撮像素子２４とを具備し、さらに、レンズ光軸の上方に配され、後述するファインダ光学系と、レンズ光軸の下方側に配される検出器としてのＡＦセンサ部３３と、メイン回転板駆動用の駆動モータ２８と、サブ揺動板駆動用の駆動モータ２９と、制御部３１と、カメラ操作スイッチの１つであり、撮影開始を指示するためのレリーズスイッチ３２とを具備している。
【００４４】
撮影レンズ２１は、被写体光束を取り込み、その被写体像を撮像素子２４の受光面２４ａ上に結像させる撮影光学系である。
【００４５】
上記ファインダ光学系は、レンズ光軸に上方位置に配されるスクリーン２５と、スクリーン２５上方に配されるペンタプリズム２６と、ペンタプリズム２６の後方に配される接眼レンズ２７とからなる。
【００４６】
ＡＦセンサ部３３は、取り込まれた被写体光束の光学特性である被写体像の合焦状態を検出するための光学部およびＡＦ測距センサ部よりなる。
【００４７】
メイン回転板２２は、レンズ光軸方向に交差する円形の主平面を有し、レンズ光軸の上方側（下方側でもよい）のレンズ光軸と交差する第一の軸である回転軸２８ａにより回転可能に支持されており、ステッピングモータからなる駆動モータ２８により回転軸２８ａを介して回転駆動される。
【００４８】
メイン回転板２２の主平面の第一の領域に扇状の開口部２２ａと、第二の領域の前面側に光学ファインダ用の反射面２２ｂとが配されている（図１０）。
【００４９】
開口部２２ａの大きさは、被写体光束の光路上の回転板位置における撮像素子２４の受光面２４ａに対応する受光対応面である撮像素子受光面相当エリアＡｒを少なくとも内包する大きさ（即ち、撮像素子受光面相当エリアＡｒより大きい）とする（図１２）。この開口部２２ａは、撮像素子２４に対するシャッタとしても機能する。
【００５０】
反射面２２ｂは、レンズ光軸に対して傾斜しており、レンズ光軸上に位置している状態（図７，１０）で被写体光束を上方に配されている上記ファインダ光学系のスクリーン２５に向けて反射する。なお、反射面２２ｂは、レンズ光軸に対して角度４５°よりも起立側に傾いており、メイン回転板２２のレンズ光軸方向の占有エリアをより減らしている。スクリーン２５のスクリーン面もそれに倣ってレンズ光軸に対して傾斜している。
【００５１】
サブ揺動板２３は、反射面２３ａを有し、レンズ光軸の下方側のレンズ光軸と交差する面に沿った第二の軸である揺動軸２９ａにより揺動可能に支持されている。そして、ステッピングモータからなる駆動モータ２９により揺動軸２９ａを介して第一、第二の位置間を揺動（回動）駆動される。サブ揺動板２３の反射面２３ａが第一の位置であるレンズ光軸上から退避した位置にあるとき（図９，１２）、被写体光束は、後方の撮像素子２４の受光面２４ａに達する。また、サブ揺動板２３が回動駆動されて反射面２３ａが第二の位置であるレンズ光軸上の位置にあるとき（図８，１１）、被写体光束は、反射面２３ａにより下方に配されているＡＦセンサ部３３に向けて反射される。
【００５２】
制御部３１は、レリーズスイッチ３２の一段目、および、二段目操作信号を取り込み、その操作信号に基づいて駆動モータ２８，２９を駆動制御してメイン回転板２２およびサブ揺動板２３の回転、回動を制御し、該回転、揺動板の回転、回動に同期した状態で上記ファインダ光学系による光学ファインダ観察状態と、ＡＦセンサ部３３による測距状態と、開口部２２ａを経て被写体光束を透過させ、撮像素子２４を露光させる露光状態との切り替え制御を行う。そして、撮像素子２４により被写体光束による被写体像の撮像信号を取り込み、ライブビュー表示処理、および、撮像処理の制御を行う。
【００５３】
上述の構成を有する本実施形態の一眼レフカメラ２０による被写体像の単写撮影および連写撮影の動作は、第一の実施形態におけるサブ回転板３のレンズ光軸上の位置から退避位置までの回転動作が本実施形態ではサブ揺動板２３のレンズ光軸上の位置から退避位置間の回動動作に替わるのみで、その他のメイン回転板２２の回転制御およびサブ揺動板２３との同期駆動制御、さらに、撮像素子２４の読み取り制御動作も第一の実施形態の場合と同様の制御がなされる。
【００５４】
上述した本実施形態の一眼レフカメラ２０によれば、図１６に示される従来の一眼レフカメラ１００にて適用された揺動式可動ミラー１０２に替えて反射面を有するメイン回転板２２およびサブ揺動板２３を採用していることから、被写体光束の光路中の狭いスペースに回転板２２を収容することができる。また、上記メイン回転板２２は、回転駆動されるので、停止したときのバウンド現象がなく、素早く光学ファインダ観察を開始することができ、また、撮像素子２４の露光状態への切り換え応答性も早くすることができる。
【００５５】
また、連写撮影時においては、上述した従来の一眼レフカメラ１００のように可動ミラーを揺動駆動させる必要がなく、メイン回転板２２を回転駆動させるのみでよく、バウンド現象も生じず、高速、例えば、１０コマ／秒以上の連写が可能になる。
【００５６】
次に上述した第二の実施形態の一眼レフカメラに適用したサブ揺動板の変形例としてサブスライド板を適用したものについて図１３〜１５を用いて説明する。 
図１３〜１５は、上記変形例のサブスライド板を適用した一眼レフカメラのメイン回転板とサブスライド板との光学ファインダ観察状態、ＡＦ測距状態、露光状態における正面図である。なお、第二の実施形態の一眼レフカメラと同様の構成要素に対しては、同一の符号を付して説明する。
【００５７】
本変形例のサブスライド板４１は、第二の実施形態におけるサブ揺動板２３が揺動駆動される構造を有していることに対してスライド駆動される構造を有している。詳しくは、サブスライド板４１は、レンズ光軸方向に対して所定の傾斜角度で交差する反射面４１ａを有している。そして、レンズ光軸の下方側のレンズ光軸と交差する面に沿った第二の軸であるスライド軸４２によりスライド移動可能に支持されており、駆動モータ４３によりスライド軸４２に沿って第一の位置と第二の位置の間を上記所定の傾斜角度を保持した状態のままスライド駆動される。サブスライド板４１の反射面４１ａが第一の位置であるレンズ光軸上から退避した位置にあるとき（図１５）、被写体光束は、後方の撮像素子２４の受光面２４ａに達する。また、サブスライド板４１がスライドして反射面４１ａが第二の位置であるレンズ光軸上の位置にある状態では（図１４）、被写体光束は、反射面４１ａにより下方に配されているＡＦセンサ部３３に向けて反射される。
【００５８】
上述の構成を有する本変形例のサブスライド板４１を適用したの一眼レフカメラによる被写体像の単写撮影および連写撮影の動作も第一の実施形態におけるサブ回転板３のレンズ光軸上の位置から退避位置までの回転動作が本変形例のサブスライド板４１のレンズ光軸上の位置から退避位置間のスライド動作に替わるのみで、その他のメイン回転板２２の回転制御およびサブスライド板４１との同期駆動制御、さらに、撮像素子２４の読み取り制御動作は、第一、二の実施形態の場合と同様の制御がなされる。
【００５９】
上述した本変形例のサブスライド板４１を適用した一眼レフカメラも第二実施形態の一眼レフカメラ２０と同様の効果を奏する。特に本一眼レフカメラの場合は、サブスライド板４１が上記所定の傾斜角度を保った状態のまま第一の位置と第二の位置をスライド移動し、その傾斜角度が変化しないことから、第二の位置に移動した直後であってもバウンドによる影響がなく、速やかに測距動作を開始することができる。
【００６０】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００６１】
本発明の撮像装置によれば、撮像素子を用いた撮像装置において、より簡単な構成を有し、撮像素子への露光状態と非露光状態との切り換えの応答性が早く、例えば、高速連写が可能であって、コンパクト化も可能な撮像装置として利用が可能である。
【図面の簡単な説明】
【００６２】
【図１】本発明の第一の実施形態の撮像装置である一眼レフカメラの主要構成を示す光軸に沿った断面図であって、光学ファインダ観察状態を示す。
【図２】図１の一眼レフカメラの主要構成を示す光軸に沿った断面図であって、ＡＦ測距状態を示す。
【図３】図１の一眼レフカメラの主要構成を示す光軸に沿った断面図であって、露光状態を示す。
【図４】図１の一眼レフカメラにおけるメイン回転板とサブ回転板の光学ファインダ観察状態を示す正面図である。
【図５】図１の一眼レフカメラにおけるメイン回転板とサブ回転板のＡＦ測距状態を示す正面図である。
【図６】図１の一眼レフカメラにおけるメイン回転板とサブ回転板の露光状態を示す正面図である。
【図７】本発明の第二の実施形態の撮像装置である一眼レフカメラの主要構成を示す光軸に沿った断面図であって、光学ファインダ観察状態を示す。
【図８】図７の一眼レフカメラの主要構成を示す光軸に沿った断面図であって、ＡＦ測距状態を示す。
【図９】図７の一眼レフカメラの主要構成を示す光軸に沿った断面図であって、露光状態を示す。
【図１０】図７の一眼レフカメラにおけるメイン回転板とサブ揺動板の光学ファインダ観察状態を示す正面図である。
【図１１】図７の一眼レフカメラにおけるメイン回転板とサブ揺動板のＡＦ測距状態を示す正面図である。
【図１２】図７の一眼レフカメラにおけるメイン回転板とサブ揺動板の露光状態を示す正面図である。
【図１３】図７の一眼レフカメラのサブ揺動板に対する変形例であるサブスライド板を適用したときのメイン回転板と上記サブスライド板の光学ファインダ観察状態を示す正面図である。
【図１４】図７の一眼レフカメラのサブ揺動板に対する変形例であるサブスライド板を適用したときのメイン回転板と上記サブスライド板のＡＦ測距状態を示す正面図である。
【図１５】図７の一眼レフカメラのサブ揺動板に対する変形例であるサブスライド板を適用したときのメイン回転板と上記サブスライド板の露光状態を示す正面図である。
【図１６】従来の撮像装置である一眼レフカメラの主要構成を示す光軸に沿った断面図である。
【符号の説明】
【００６３】
１，２１…撮影レンズ（撮影光学系）
２，２２…メイン回転板（第一の板状反射板）
２ａ，２２ａ
…開口部（第一の領域）
２ｂ，２２ｂ
…反射面（第二の領域）
３  …サブ回転板（第二の板状反射板）
４，２４…撮像素子
４ａ，２４ａ…受光面
５，２５
…スクリーン（ファインダ光学系）
６，２６
…ペンタプリズム（ファインダ光学系）
７，２７
…接眼レンズ（ファインダ光学系）
８，８Ａ，２８…駆動モータ
８ａ，２８ａ
…回転軸（軸）
１１，３１，４３…制御部
１２，３２…レリーズスイッチ
（レリーズボタンにより操作されるスイッチ）
１３，３３…ＡＦセンサ部（検出器）
２３  …サブ揺動板（第二の板状反射板）
２３ａ…反射面
２９ａ…揺動軸
４１  …サブスライド板（第二の板状反射板）
４１ａ…反射面
４２  …スライド軸
【図１】
2009020363.tif 000003
【図２】
2009020363.tif 000004
【図３】
2009020363.tif 000005
【図４】
2009020363.tif 000006
【図５】
2009020363.tif 000007
【図６】
2009020363.tif 000008
【図７】
2009020363.tif 000009
【図８】
2009020363.tif 000010
【図９】
2009020363.tif 000011
【図１０】
2009020363.tif 000012
【図１１】
2009020363.tif 000013
【図１２】
2009020363.tif 000014
【図１３】
2009020363.tif 000015
【図１４】
2009020363.tif 000016
【図１５】
2009020363.tif 000017
【図１６】
2009020363.tif 000018